(57)【要約】【課題】再生水を用いても便器の汚染や臭気の問題が発生することがなく、優れた省資源性、経済性、快適性などを発揮することができる再生水を利用した水洗便器を提供する。【解決手段】汚物を受け、溜水を溜めるすり鉢状のボウル部２と、このボウル部２にトラップ管路４を介して連通され、ボウル部２内の溜水（Ｗ１）と汚物を排水管５に排出するとともに、該排水管５を水封するための封水（Ｗ２）を溜めるトラップ部３とを備えた水洗便器において、前記ボウル部２に向けて洗浄用の上水を供給する上水供給手段１１と、前記トラップ部３に向けて排出用の再生水を供給する再生水供給手段１２の２系統の水供給手段を設けた。【選択図】図１
2014009565.tif 000002
【特許請求の範囲】
【請求項１】
汚物を受け、溜水を溜めるすり鉢状のボウル部と、このボウル部にトラップ管路を介して連通され、ボウル部内の溜水と汚物を排水管に排出するとともに、該排水管を水封するための封水を溜めるトラップ部とを備えた水洗便器において、前記ボウル部に向けて洗浄用の上水を供給する上水供給手段と、前記トラップ部に向けて排出用の再生水を供給する再生水供給手段の２系統の水供給手段を設けたことを特徴とする再生水を利用した水洗便器。
【請求項２】
再生水供給手段は、トラップ部の上部に開口していて再生水が上部側から供給されるように構成されている請求項１に記載の再生水を利用した水洗便器。
【請求項３】
再生水供給手段の供給量が、上水供給手段の供給量より多く供給されるように構成されている請求項１または２に記載の再生水を利用した水洗便器。
【発明の詳細な説明】
【技術分野】
【０００１】
本発明は、再生水を用いても便器の汚染や臭気等の問題が発生することがなくて、優れた快適性、省資源性、経済性などを発揮できる再生水を利用した水洗便器に関するものである。
【背景技術】
【０００２】
従来から、洋式の水洗便器として洗い落とし式、サイホン式、サイホンゼット式など種々のものが提案され実用化されている。また、最近では省資源、省エネルギー技術が注目されており、この観点から洗浄水の使用量を少なくして節水効果を高める開発が多数行われている（特許文献１や特許文献２を参照）。
【０００３】
一方、海外などでは水資源の有効活用の観点から水洗便器の浄化水として、上水でなく再生水が多く利用されている。なお、本発明でいう再生水とは、トイレ排水、雑排水、雨水などを処理して、トラップや排水管を侵したり詰まらせたりしないレベルまで浄化させたものをいう。この再生水を利用することで、省資源、省エネルギー化を図っている。
【０００４】
わが国においても、公共用のトイレ等には浄化水として再生水を利用するケースも出現している。しかし、水洗便器の浄化水に再生水を用いた場合は、便器のボウル部が徐々に汚染されたり、臭気が発生するという問題があった。また、それを解消するには、再生水の処理に多くの条件が付き、処理工数が多くなってコスト高になるという問題があり、再生水利用の普及に支障をきたしていた。
【先行技術文献】
【特許文献】
【０００５】
【特許文献１】特許第３３８１２６１号公報
【特許文献２】特許第３５７８１６９号公報
【発明の概要】
【発明が解決しようとする課題】
【０００６】
本発明は上記のような問題点を解決して、再生水を用いても便器の汚染や臭気の問題が発生することがなく、優れた快適性、省資源性、経済性などを発揮することができる再生水を利用した水洗便器を提供することを目的として完成されたものである。
【課題を解決するための手段】
【０００７】
上記課題を解決するためになされた本発明の再生水を利用した水洗便器は、汚物を受け、溜水を溜めるすり鉢状のボウル部と、このボウル部にトラップ管路を介して連通され、ボウル部内の溜水と汚物を排水管に排出するとともに、該排水管を水封するための封水を溜めるトラップ部とを備えた水洗便器において、前記ボウル部に向けて洗浄用の上水を供給する上水供給手段と、前記トラップ部に向けて排出用の再生水を供給する再生水供給手段の２系統の水供給手段を設けたことを特徴とするものである。
【０００８】
再生水供給手段は、トラップ部の上部に開口していて再生水が上部側から供給されるように構成されているものが好ましく、これを請求項２に係る発明とする。
【０００９】
また、再生水供給手段の供給量が、上水供給手段の供給量より多く供給されるように構成されているものが好ましく、これを請求項３に係る発明とする。
【発明の効果】
【００１０】
請求項１に係る発明では、汚物を受け、溜水を溜めるすり鉢状のボウル部と、排水管を水封するための封水を溜めるトラップ部とを備えた水洗便器において、前記ボウル部に向けて洗浄用の上水を供給する上水供給手段と、前記トラップ部に向けて排出用の再生水を供給する再生水供給手段の２系統の水供給手段を設けたので、ボウル部の洗浄は上水で行い、一方、汚物の排出は再生水で行うこととなり、上水の使用量を大幅に削減することができる。しかも、溜水と封水は、上水のみで形成されるように前記再生水をトラップ部のみに供給する構造となっているため、ボウル部が汚染されたり、臭気が発生することもない。
【００１１】
また、請求項２に係る発明では、再生水供給手段は、トラップ部の上部に開口していて再生水が上部側から供給されるように構成されているので、汚物を再生水とともに排水管へ効率よく排出することができる。
【００１２】
また、請求項３に係る発明では、再生水供給手段の供給量が、上水供給手段の供給量より多く供給されるように構成されているので、上水の使用量を大幅に削減することができる。
【図面の簡単な説明】
【００１３】
【図１】本発明の実施の形態を示す正面断面図である。
【発明を実施するための形態】
【００１４】
以下に、図面を参照しつつ本発明の好ましい実施の形態を示す。
図１は、本発明を適用した水洗便器の一例を示すものであり、図において、１は便器本体である。この便器本体１は、ボウル部２とトラップ部３とを備えている。前記ボウル部２は、汚物を受け、溜水（Ｗ１）を溜めるすり鉢状のものであり、一方、前記トラップ部３は、前記ボウル部２にトラップ管路４を介して連通されており、ボウル部内の溜水と汚物を排水管５に排出するとともに、該排水管５を水封するための封水（Ｗ２）を溜めるものである。
なお、６はボウル部２の下部に開口したトラップ管路４の開口部、７はトラップ管路４と排水管５の境界にある突起状の堰部であり、以上の構成は従来の水洗便器と基本的に同じである。
【００１５】
本発明では、便器本体１に前記ボウル部２に向けて洗浄用の上水を供給する上水供給手段１１と、前記トラップ部３に向けて排出用の再生水を供給する再生水供給手段１２の２系統の水供給手段が設けられている。
そして、従来のように洗浄水の全てを再生水に切り換えて利用するのではなく、排出用の水（キャリア水と言う）のみに利用することで、貴重な上水の使用量を大幅に削減するとともに、ボウル部の汚染や、臭気の発生も防止するという新たなタイプの水洗便器を提供するのである。
【００１６】
前記上水供給手段１１は、タンク式や水道直結式のいずれでもよい。ボウル部２の上縁に供給された上水は、下方へ落下しつつボウル部２の表面を洗浄するのに必要な量と、溜水と封水を形成するのに必要な量の必要最小限の供給量でよいので、２リットル以下で十分である。
【００１７】
前記再生水供給手段１２は、トラップ部３の上部に開口していて再生水が上部側から下方に向け供給されるように構成されている。特に、再生水は大部分が排水管５に向けて供給されるよう構成されており、このため大きなサイホン作用を発揮して汚物を迅速かつ確実に排出することができる。
また再生水供給手段１２の供給量は、上水供給手段の供給量より多く供給されるように調整されており、水の供給は大部分が再生水となって上水の使用量を大幅に削減することができる。
【００１８】
更に、再生水の供給は、上水の供給によってトラップ部３の封水（Ｗ２）が排水管５に排出されるタイミングで行われるように構成することができる。この場合は、封水（Ｗ２）がボウル部２の溜水（Ｗ１）に逆流することがないので、溜水（Ｗ１）及び封水（Ｗ２）は常に上水のみで満たされることとなり、再生水による汚染や臭気は生じない。
その他、再生水の供給を、上水の供給と同時のタイミングで行うように構成することもでき、この場合は、上水と再生水の供給のタイミングを制御する必要がなく、簡単な構造とすることができる。
【００１９】
以上のように構成した本発明の水洗便器における浄化処理の一例を示すと、使用後に水洗レバー等の操作を行うと、上水供給手段１１より上水が供給されてボウル部内部を洗浄する。これに伴い溜水（Ｗ１）がトラップ管路４を通じて封水（Ｗ２）に流れ込み、封水（Ｗ２）の一部が堰部７を超えて排水管５に排出されると、このタイミングにあわせて再生水供給手段１２からトラップ部３へ再生水の供給が行われる。この結果、再生水がキャリア水となって汚物とともに排水管５へ勢いよく排出されることとなる。
【００２０】
以上の説明においては、上水として水道水を使用し、再生水としてトイレ排水、雑排水、雨水などを処理して、トラップや排水管を侵したり詰まらせたりしないレベルまで浄化させたものを使用した場合を述べたが、上水として良質な再生水や雨水を使用することもできる。ここでいう良質な再生水や雨水とは、前記再生水に対し更に吸着処理や除菌処理等を加えて臭気や雑菌を除去して所望の水質とした程度の再生水をいい、この場合は、水道に直結しないため、閉じられた循環路からなる水洗便器システムを提供することができ、水道のない場所や災害地などでの使用が可能となる。
【００２１】
以上に説明したように、本発明では、ボウル部２の洗浄を上水で行うため、従来と同様、何ら汚染や臭気を発生させることがなく洗浄処理を行うことができ、また上水の使用量も洗浄に必要な最小限の量とすることができる。一方、汚物の排出はトラップ部３へ打ち込む再生水によるため、省資源化に大いに貢献することができる。しかも、再生水はトラップ部３のみへの供給であり、また封水（Ｗ２）により再生水の逆流を防止しているので、ボウル部２の汚染の発生や臭気の発生も確実に防ぐことができる。
【符号の説明】
【００２２】
１  便器本体
２  ボウル部
３  トラップ部
４  トラップ管路
５  排水管
６  開口部
７  堰部
１１  上水供給手段
１２  再生水供給手段
Ｗ１  溜水
Ｗ２  封水
【図１】
2014009565.tif 000003